(57)【特許請求の範囲】
【請求項１】
パケットバッファとして使用する運用用のスタティック・ランダム・アクセス・メモリにメモリハードエラーが発生した時に、当該運用用のスタティック・ランダム・アクセス・メモリのみの電源をオフにし、予備のスタティック・ランダム・アクセス・メモリに切り替えて通信を継続することを特徴とするパケット通信方法であって、
前記メモリハードエラーが発生した場合であって、故障原因の特定が必要な場合にパケット通信装置運用者に対してエラー検出情報を通知し、前記パケット通信装置運用者が前記予備のスタティック・ランダム・アクセス・メモリへの切り替え／運用用のスタティック・ランダム・アクセス・メモリへの切り戻しを遠隔操作により手動で行うことを特徴とするパケット通信方法。
【請求項２】
前記予備のスタティック・ランダム・アクセス・メモリに切り替えた後、前記メモリハードエラーが発生した運用用のスタティック・ランダム・アクセス・メモリの電源をオンにして、パリティエラーのチェックを行い、パリティエラーが検出されない場合に、前記予備のスタティック・ランダム・アクセス・メモリから前記運用用のスタティック・ランダム・アクセス・メモリに切り戻しすることを特徴とする請求項１に記載のパケット通信方法。
【請求項３】
前記予備のスタティック・ランダム・アクセス・メモリに、常時、前記運用用のパケットバッファとして使用するスタティック・ランダム・アクセス・メモリと同じ書き込みを行うことを特徴とする請求項１または請求項２に記載のパケット通信方法。
【請求項４】
パケットバッファとして使用する運用用のスタティック・ランダム・アクセス・メモリと、
前記運用用のスタティック・ランダム・アクセス・メモリに対してスイッチング手段を介して並列的に接続された予備のスタティック・ランダム・アクセス・メモリと、
前記運用用のスタティック・ランダム・アクセス・メモリ及び前記予備のスタティック・ランダム・アクセス・メモリへの電源のオン／オフを制御するメモリ電源制御部と
前記メモリハードエラーが発生した場合にパケット通信装置運用者に対してエラー検出情報を通知する機構と、
前記パケット通信装置運用者が前記予備のスタティック・ランダム・アクセス・メモリへの切り替え／運用用のスタティック・ランダム・アクセス・メモリへの切り戻しを遠隔操作により手動で行う機構と
を備えていることを特徴とするパケット通信装置。
【請求項５】
前記予備のスタティック・ランダム・アクセス・メモリが、上位回線に接続する前記運用用のスタティック・ランダム・アクセス・メモリと下位回線に接続する前記運用用のスタティック・ランダム・アクセス・メモリとに供用するように接続されていることを特徴とする請求項４に記載のパケット通信装置。
【請求項６】
前記予備のスタティック・ランダム・アクセス・メモリが、上位回線に接続する前記運用用のスタティック・ランダム・アクセス・メモリと下位回線に接続する前記運用用のスタティック・ランダム・アクセス・メモリとにそれぞれ個別に接続されていることを特徴とする請求項４に記載のパケット通信装置。
【発明の詳細な説明】
【技術分野】
【０００１】
本発明はパケット通信方法及びパケット通信装置に関するものであり、例えば、パケット通信装置におけるメモリハードエラーが発生した際の救済手法に関するものである。
【背景技術】
【０００２】
パケットバッファを有するパケット通信装置において、パケットバッファとして使用するＳＲＡＭ（スタティック・ランダム・アクセス・メモリ）に対し、ソフトエラーや外来ノイズなどによりメモリデバイス内でハードエラーが発生し、それに伴いパケットロスが発生することがある。ハードエラーの代表的な例はシングルイベント・ラッチアップである。
【０００３】
ソフトエラーにおいては、宇宙空間に存在する放射線が半導体素子に影響を与えることで偶発的に発生する事象であり、機構／回路構成などでは抑止できない事象である。このようなソフトエラーは、メモリの上書き、即ち、ｗｒｉｔｅ処理によって、以降は正常に使用することができる。
【０００４】
しかし、メモリハードエラー、特に、ラッチアップ事象は、ｗｒｉｔｅ処理や通常のリセット処理では復旧せず、電源のＯＦＦ／ＯＮでのみ復旧する。このようなメモリハードエラーは、装置（パッケージ）当たり一月に一回程度の頻度で発生する。
【０００５】
そこで、従来においては、ＳＲＡＭのラッチアップ等におけるパケットロス等の不具合事象発生に対しては、
装置（パッケージ）の二重化対応による切替え処理（例えば、特許文献１参照）、
装置(パッケージ)交換、或いは、
装置(パッケージ)の電源ＯＦＦ／ＯＮ（例えば、特許文献２参照）
などにより対応を行なってきた。
【先行技術文献】
【特許文献】
【０００６】
【特許文献１】特開２００７−２０８３９６号公報
【特許文献２】特開平０６−３１８１０７号公報
【発明の概要】
【発明が解決しようとする課題】
【０００７】
しかし、メモリハードエラー事象発生時の対応として、二重化による対応を実施してしまうと複数スロットを持つ装置などでは、同時に多パッケージ不具合事象発生時に使用できなくなるという問題がある。また、通常はハードエラー事象発生時にもＳＲＡＭデバイスの電源はＯＮのままであるので大電流が流れている可能性があり、そのため、そのまま放置することで、装置故障に至る虞があるという問題もある。
【０００８】
また、装置(パッケージ)交換による対応は、局舎など遠地で使用される場合は、本事象復旧のため、管理者が現地まで行く必要があり、迅速な対応が困難で復旧までに時間がかかるという問題がある。
【０００９】
また、装置(パッケージ)の電源ＯＦＦ／ＯＮによる対応では、その間通信断が発生するため、多回線収容装置では、正常に通信している他の回線も通信断が発生することになる。
【００１０】
したがって、本発明は、装置構成を大掛かりにすることなく、メモリハードエラーに迅速に対応してパケット通信を継続することを目的とする。
【課題を解決するための手段】
【００１１】
上記の課題を解決するために、（１）本発明は、パケット通信方法において、パケットバッファとして使用する運用用のスタティック・ランダム・アクセス・メモリにメモリハードエラーが発生した時に、当該運用用のスタティック・ランダム・アクセス・メモリのみの電源をオフにし、予備のスタティック・ランダム・アクセス・メモリに切り替えて通信を継続することを特徴とするパケット通信方法であって、前記メモリハードエラーが発生した場合であって、故障原因の特定が必要な場合にパケット通信装置運用者に対してエラー検出情報を通知し、前記パケット通信装置運用者が前記予備のスタティック・ランダム・アクセス・メモリへの切り替え／運用用のスタティック・ランダム・アクセス・メモリへの切り戻しを遠隔操作により手動で行うことを特徴とする。
【００１２】
このように、予備のスタティック・ランダム・アクセス・メモリを設けることにより、パッケージを二重化することなく、パッケージを交換することなく且つ電源のオフ／オン操作をすることなく、パケットロスに対応して通信を継続することができる。また、パッケージを二重化した場合にも、その他パッケージ故障用として二重化されたパッケージの使用が可能になる。
【００１３】
また、メモリハードエラーが発生した運用用のスタティック・ランダム・アクセス・メモリのみの電源をオフにするので、大電流が流れることがなく、装置故障を未然に防ぐことができる。特に、切り替え／切り戻しをパケット通信装置運用者の遠隔操作により手動で行うことにより、メモリハードエラー事象の故障原因の特定が可能になる。即ち、メモリハードエラーが発生したパッケージは、電源ＯＦＦ／ＯＮにより事象回復することが多いため、故障品として返却されても、故障原因の特定ができないことが多い。しかし、事象発生時の切り替え/切り戻し処理を手動で行えるようにすることで、切り戻しを行わずに、ハードエラー発生時の状態を保持することが可能となり、故障原因の切り分けが容易となる。また、手動で切替えを行うことにより、装置運用者が意図したタイミング(装置の稼働閑散期等)に切替えを行うことが可能となる。
【００１４】
（２）また、本発明は、上記（１）において、予備のスタティック・ランダム・アクセス・メモリに切り替えた後、前記メモリハードエラーが発生した運用用のスタティック・ランダム・アクセス・メモリの電源をオンにして、パリティエラーのチェックを行い、パリティエラーが検出されない場合に、前記予備のスタティック・ランダム・アクセス・メモリから前記運用用のスタティック・ランダム・アクセス・メモリに切り戻しすることを特徴とする。
【００１５】
このように、切り戻しを行うことによって、運用用のスタティック・ランダム・アクセス・メモリに再度メモリハードエラーが発生しても、再度、予備のスタティック・ランダム・アクセス・メモリに切り替えて通信を継続することができる。
【００１９】
（３）また、本発明は、上記（１）または（２）において、前記予備のスタティック・ランダム・アクセス・メモリに、常時、前記運用用のパケットバッファとして使用するスタティック・ランダム・アクセス・メモリと同じ書き込みを行うことを特徴とする。
【００２０】
このような書き込みの二重化を行うことにより、メモリハードエラー事象が発生した場合に、パケットロスを発生させることなく、パケット通信を継続することが、即ち、無瞬断切り替えが可能になる。
【００２１】
（４）また、本発明は、パッケージ通信装置において、パケットバッファとして使用する運用用のスタティック・ランダム・アクセス・メモリと、前記運用用のスタティック・ランダム・アクセス・メモリに対してスイッチング手段を介して並列的に接続された予備のスタティック・ランダム・アクセス・メモリと、前記運用用のスタティック・ランダム・アクセス・メモリ及び前記予備のスタティック・ランダム・アクセス・メモリへの電源のオン／オフを制御するメモリ電源制御部と、前記メモリハードエラーが発生した場合にパケット通信装置運用者に対してエラー検出情報を通知する機構と、前記パケット通信装置運用者が前記予備のスタティック・ランダム・アクセス・メモリへの切り替え／運用用のスタティック・ランダム・アクセス・メモリへの切り戻しを遠隔操作により手動で行う機構とを備えていることを特徴とする。
【００２２】
このような、装置構成を採用することにより、メモリハードエラー事象が発生しても、簡単なパッケージ構成により且つパッケージ故障を発生させることなくパケット通信を継続することが可能な通信装置を構築することができる。
【００２３】
（５）また、本発明は、上記（４）において、前記予備のスタティック・ランダム・アクセス・メモリが、上位回線に接続する前記運用用のスタティック・ランダム・アクセス・メモリと下位回線に接続する前記運用用のスタティック・ランダム・アクセス・メモリとに供用するように接続されていることを特徴とする。
【００２４】
このように、一つの予備のスタティック・ランダム・アクセス・メモリを上位回線に接続する運用用のスタティック・ランダム・アクセス・メモリと下位回線に接続する運用用のスタティック・ランダム・アクセス・メモリとに供用するように接続することによって、部品点数を少なくすることができる。
【００２５】
（６）また、本発明は、上記（４）において前記予備のスタティック・ランダム・アクセス・メモリが、上位回線に接続する前記運用用のスタティック・ランダム・アクセス・メモリと下位回線に接続する前記運用用のスタティック・ランダム・アクセス・メモリとにそれぞれ個別に接続されていることを特徴とする。
【００２６】
このように、予備のスタティック・ランダム・アクセス・メモリを、上位回線に接続する運用用のスタティック・ランダム・アクセス・メモリと下位回線に接続する運用用のスタティック・ランダム・アクセス・メモリとにそれぞれ個別に接続することにより、予備のスタティック・ランダム・アクセス・メモリに常時書き込みが可能になり、メモリハードエラー発生時のパケットロスをなくすことができる。
【発明の効果】
【００２７】
開示のパケット通信方法及びパケット通信装置によれば、装置構成を大掛かりにすることなく、メモリハードエラーに迅速に対応してパケット通信を継続することが可能になる。
【図面の簡単な説明】
【００２８】
【図１】本発明の実施の形態の瞬断ありの切り替え方式のパケット通信装置の切替機構の原理的構成図である。
【図２】メモリハードエラー事象発生時のメモリ切り替えフロー図である。
【図３】本発明の実施の形態の無瞬断切り替え方式のパケット通信装置の切替機構の原理的構成図である。
【図４】メモリハードエラー事象発生時のメモリ切り替えフロー図である。
【図５】本発明の実施例１のパケット通信装置の概念的構成図である。
【図６】本発明の実施例１におけるメモリハードエラー事象発生時のメモリ切り替えフロー図である。
【図７】本発明の実施例２のパケット通信装置の概念的構成図である。
【図８】本発明の実施例２におけるメモリハードエラー事象発生時のメモリ切り替えフロー図である。
【発明を実施するための形態】
【００２９】
ここで、図１及び図２を参照して、本発明の実施の形態のパケット通信装置を説明する。図１は、本発明の実施の形態の瞬断ありの切り替え方式のパケット通信装置の切替機構の原理的構成図である。パケット通信装置を構成する装置パッケージ部１には、電源入力部３１を有するメモリ機能部２１と電源入力部３２を有する予備メモリ機能部２２とが設けられ、スイッチ部４１,４２を介してパリティ検出部５に接続する。また、パリティ検出部５の出力は電源ＯＦＦ／ＯＮ判定部６に出力され、その出力により電源ＯＦＦ／ＯＮ制御部７を介してメモリ機能部２１及び予備メモリ機能部２２の電源のＯＦＦ／ＯＮを制御する。また、パリティ検出部５の出力によりセレクタ部８を介してパケット通信において運用するメモリを選択する。
【００３０】
また、必要に応じて遠隔装置通知部９を設け、電源ＯＦＦ／ＯＮ判定部６の出力を遠隔監視制御装置１１にメモリ機能部２１及び予備メモリ機能部２２の電源状態を通報し、必要に応じて異常警報を発令する。なお、メモリ機能部２１及び予備メモリ機能部２２には例えば、１２８ＭｂｉｔのＳＲＡＭが装着されている。
【００３１】
図２は、メモリハードエラー事象発生時のメモリ切り替えフロー図であり、まず、
Ｓ１：メモリ機能部２１にｗｒｉｔｅ／ｒｅａｄを行うたびにパリティエラーの検出を行う。
Ｓ２：パリティエラーが検出された場合には、予備メモリ機能部２２の電源をＯＮにして、予備メモリ機能部２２に切り替える。
Ｓ３：予備メモリ機能部２２へのｗｒｉｔｅ／ｒｅａｄ処理を開始する。
Ｓ４：事象発生のメモリ機能部２１に対して全アドレス番地へのｗｒｉｔｅ／ｒｅａｄ処理を行い、再度のパリティエラー検出を行い、ハードエラーかソフトエラーかの判定を行う。
Ｓ５：パリティエラーがない場合には、ソフトエラーと判定して元のメモリ機能部２１へ切り戻し、予備メモリ機能部２２の電源をＯＦＦにして、通信を継続する。
Ｓ６：パリティエラーが検出された場合には、ハードエラーと判定してメモリ機能部２１の電源をＯＦＦにし、予備メモリ機能部２２での運用を継続する。
【００３２】
この場合には、事象発生時のパケットは失われるので、その旨の通報を発生する。以降は、必要に応じてハードエラーと判定されたメモリ機能部２１の電源のＯＦＦ／ＯＮを行ってラッチアップ等を回復させたり、あるいは、故障原因の解明のために、電源をＯＮすることなく装置パッケージを適当なタイミングで回収する。ラッチアップ回復のための電源のＯＦＦ／ＯＮは自動的に行うようにプログラムしても良いし、装置運用管理者が遠隔装置通報部からの通報に基づいて遠隔操作により行うようにしても良い。
【００３３】
次に、図３及び図４を参照して本発明の実施の形態の無瞬断切り替え式のパケット通信装置を説明する。図３は、本発明の実施の形態の無瞬断切り替え方式のパケット通信装置の切替機構の原理的構成図である。基本的構成は上記の実施の形態と同様であるが、パリティ検出部５とスイッチ部４１,４２との間にバッファ１０を挿入し、ｗｒｉｔｅ動作はメモリ機能部２１と予備メモリ動作部２２に対して常時パケットの書き込みを行い、通常運用時の読み出しはメモリ機能部２１から行う。
【００３４】
図４は、メモリハードエラー事象発生時のメモリ切り替えフロー図であり、まず、
Ｓ１：メモリ機能部２１及び予備メモリ機能部２２にｗｒｉｔｅを行い、メモリ機能部２１からｒｅａｄを行うたびにパリティエラーの検出を行う。
Ｓ２：パリティエラーが検出された場合には、そのまま予備メモリ機能部２２に切り替える。
Ｓ３：予備メモリ機能部２２へのｗｒｉｔｅ／ｒｅａｄ処理を開始する。
Ｓ４：事象発生のメモリ機能部２１に対して全アドレス番地へのｗｒｉｔｅ／ｒｅａｄ処理を行い、再度のパリティエラー検出を行い、ハードエラーかソフトエラーかの判定を行う。
Ｓ５：パリティエラーがない場合には、ソフトエラーと判定して元のメモリ機能部２１へ切り戻し、メモリ機能部２１からｒｅａｄして通信を継続する。
Ｓ６：パリティエラーが検出された場合には、ハードエラーと判定してメモリ機能部２１の電源をＯＦＦにし、予備メモリ機能部２２での運用を継続する。
【００３５】
この場合には、事象発生時にも予備メモリ機能部２２にも同じパケットが書き込まれているので、パケットロスが発生することはない。以降は、必要に応じてハードエラーと判定されたメモリ機能部２１の電源のＯＦＦ／ＯＮを行ってラッチアップ等を回復させたり、あるいは、故障原因解明のために、電源をＯＮすることなく装置パッケージを適当なタイミングで回収する。ラッチアップ回復のための電源のＯＦＦ／ＯＮは自動的に行うようにプログラムしても良いし、装置運用管理者が遠隔装置通報部からの通報に基づいて遠隔操作により行うようにしても良い。
【００３６】
このように、本発明の実施の形態においては、予備メモリ機構２２を設けるだけで、装置パッケージを二重化しなくとも、通信を中断することなくメモリハードエラーに対応することが可能になる。
【００３７】
また、メモリハードエラーが発生した場合にも、事象発生のメモリ機能部２１のみの電源をＯＦＦにするだけであるので、多回線収容装置の場合、正常に通信している他の回線の通信断が発生することがない。
【００３８】
事象発生のメモリ機能部２１のみの電源をＯＦＦにしているので、メモリ機能部２１に大電流が流れることはなく、したがって、メモリハードエラーに伴って装置パッケージ１が破壊されることがない。
【実施例１】
【００３９】
次に、図５及び図６を参照して、本発明の実施例１のパケット通信装置を説明する。図５は、本発明の実施例１のパケット通信装置の概念的構成図であり、多回線を1パッケージに有する複数の回線パッケージ２０及びパッケージ多重／分離部４１を備えた共通パッケージ４０をバックワイヤリングボード５０に装着して、共通パッケージ４０を介して下位回線と上位回線とを接続する。
【００４０】
各回線パッケージ２０は回線多重／分離部２１を備え、多数のインタフェース変換部２２を介して下位回線に接続される。上り方向／下り方向にそれぞれパケットバッファとなる上位方向ＳＲＡＭ２３と下位方向ＳＲＡＭ２４が通信線に接続されたリレースイッチ２５,２６を介して回線多重／分離部２１に接続されている。
【００４１】
また、上位方向ＳＲＡＭ２３と下位方向ＳＲＡＭ２４に対して１個の共通の予備ＳＲＡＭ２７が設けられており、図１に示したように、電源２８は電源供給線に接続した電源ＯＦＦ／ＯＮ制御部となるリレースイッチ２９，３０を介して上位方向ＳＲＡＭ２３，下位方向ＳＲＡＭ２４及び予備ＳＲＡＭ２７に接続されている。
【００４２】
なお、図示は省略するが、図１に示したパリティエラー検出部、電源ＯＦＦ／ＯＮ判定部、セレクタ部、遠隔装置通知部が備えられており、メモリハードエラーが発生した場合に、遠隔装置通知部から遠隔監視制御装置６０にその旨の通報がなされる。
【００４３】
図６は、本発明の実施例１におけるメモリハードエラー事象発生時のメモリ切り替えフロー図である。まず、
Ｓ１：上位方向ＳＲＡＭ２３及び下位方向ＳＲＡＭ２４にｗｒｉｔｅ／ｒｅａｄを行うたびにパリティエラーの検出を行う。
Ｓ２：パリティエラーが検出された場合には、予備ＳＲＡＭ２７の電源をＯＮにして、予備ＳＲＡＭに切り替える。事象の発生していない側のＳＲＡＭについてはそのまま運用を継続する。
Ｓ３：予備ＳＲＡＭ２７へのｗｒｉｔｅ／ｒｅａｄ処理を開始する。
Ｓ４：事象発生のＳＲＡＭに対して全アドレス番地へのｗｒｉｔｅ／ｒｅａｄ処理を行い、再度のパリティエラー検出を行い、ハードエラーかソフトエラーかの判定を行う。
Ｓ５：パリティエラーがない場合には、ソフトエラーと判定して元のＳＲＡＭへ切り戻し、予備ＳＲＡＭ２７の電源をＯＦＦにして、通信を継続する。
Ｓ６：パリティエラーが検出された場合には、ハードエラーと判定して事象発生のＳＲＡＭの電源をＯＦＦにし、予備ＳＲＡＭ２７での運用を継続する。
Ｓ７：事象発生のＳＲＡＭについて電源をＯＮにしてメモリハードエラーの復旧を試みる。
Ｓ８：メモリハードエラー復旧を試みたＳＲＡＭに対して全アドレス番地へのｗｒｉｔｅ／ｒｅａｄ処理を行い、再度のパリティエラー検出を行い、ハードエラーかソフトエラーかの判定を行う。
Ｓ９：パリティエラーが検出されない場合には、復旧したＳＲＡＭに切り戻し、予備ＳＲＡＭ２７の電源をＯＦＦにする。
Ｓ１０：パリティエラーが検出された場合には、再び、当該ＳＲＡＭの電源をＯＦＦにし、予備ＳＲＡＭ２７での運用を継続する。
【００４４】
事象発生のＳＲＡＭに対するメモリハードエラー回復の試みは、自動的に行われるようにプログラムしても良いし、遠隔監視制御装置６０により装置管理者が、遠隔操作で手動で行うようにしても良い。
【００４５】
また、遠隔監視制御装置１により装置管理者が事象発生のＳＲＡＭに対するメモリハードエラー回復の試みを行わないようにしても良く、装置の稼働閑散期等のタイミングを見計らって回線パッケージを回収して、故障原因を究明するようにしても良い。
【００４６】
このように、本発明の実施例１においては、上り方向と下り方向のパケットバッファに対して一個の共通の予備ＳＲＡＭを設けるだけの簡単な構成により、回線パッケージを二重化したり或いは回線パッケージ全体の電源をＯＦＦにして通信を中断することなくメモリハードエラーに対応することが可能になる。
【００４７】
また、事象が発生したのちの電源復旧実施によってもハードメモリエラーが回復されない場合には、当該ＳＲＡＭの電源をＯＦＦにしたままにするので、このＳＲＡＭに大電流が流れることはなく、メモリハードエラーに伴って回線パッケージ２０が破壊されることはない。
【実施例２】
【００４８】
次に、図７及び図８を参照して、本発明の実施例２のパケット通信装置を説明するが、上位方向ＳＲＡＭと下位方向ＳＲＡＭの双方に個別の予備ＳＲＡＭを設けたものであり、それ以外の基本的構成は上記の実施例１と同様である。
【００４９】
図７は、本発明の実施例２のパケット通信装置の概念的構成図であり、実施例１と同様に多回線を1パッケージに有する複数の回線パッケージ２０及びパッケージ多重／分離部４１を備えた共通パッケージ４０をバックワイヤリングボード５０に装着して、共通パッケージ４０を介して下位回線と上位回線とを接続する。
【００５０】
各回線パッケージ２０には回線多重／分離部２１を備え、インタフェース変換部２２を介して下位回線に接続される。上り方向／下り方向にそれぞれパケットバッファとなる上位方向ＳＲＡＭ２３と下位方向ＳＲＡＭ２４が通信線に接続されたリレースイッチ２５,２６を介して回線多重／分離部２１に接続されている。
【００５１】
本発明の実施例２においては、上位方向ＳＲＡＭ２３に対して予備ＳＲＡＭ３１が並列的に接続されるともに、下位方向ＳＲＡＭ２４に対しても予備ＳＲＡＭ３２が並列的に接続される。この場合、図３に示したように、予備ＳＲＡＭ３１及び予備ＳＲＡＭ３２に対してはバッファ（図示を省略）を介してパケットが常時書き込まれる。また、電源２８は電源供給線に接続した電源ＯＦＦ／ＯＮ制御部となるリレースイッチ２９，３０を介して上位方向ＳＲＡＭ２３，下位方向ＳＲＡＭ２４及び予備ＳＲＡＭ３１，３２に接続されている。
【００５２】
なお、図示は省略するが、この場合も、図３に示したパリティエラー検出部、電源ＯＦＦ／ＯＮ判定部、セレクタ部、遠隔装置通知部が備えられており、メモリハードエラーが発生した場合に、遠隔装置通知部から遠隔監視制御装置６０にその旨の通報がなされる。
【００５３】
図８は、本発明の実施例２におけるメモリハードエラー事象発生時のメモリ切り替えフロー図である。まず、
Ｓ１：上位方向ＳＲＡＭ２３と予備ＳＲＡＭ３１及び下位方向ＳＲＡＭ２４と予備ＳＲＡＭ３２にｗｒｉｔｅにｗｒｉｔｅを行い、上位方向ＳＲＡＭ２３及び下位方向ＳＲＡＭ２４からｒｅａｄを行うたびにパリティエラーの検出を行う。
Ｓ２：パリティエラーが検出された場合には、対応する予備ＳＲＡＭ３１（３２）の電源をＯＮにして、予備ＳＲＡＭ３１（３２）に切り替える。事象の発生していない側のＳＲＡＭについてはそのまま運用を継続する。
Ｓ３：予備ＳＲＡＭ３１（３２）へのｗｒｉｔｅ／ｒｅａｄ処理を開始する。
Ｓ４：事象発生のＳＲＡＭに対して全アドレス番地へのｗｒｉｔｅ／ｒｅａｄ処理を行い、再度のパリティエラー検出を行い、ハードエラーかソフトエラーかの判定を行う。
Ｓ５：パリティエラーがない場合には、ソフトエラーと判定して元のＳＲＡＭへ切り戻し、通信を継続する。対応するＳＲＡＭ３１（３２）へのｗｒｉｔｅはそのまま継続する。
Ｓ６：パリティエラーが検出された場合には、ハードエラーと判定して事象発生のＳＲＡＭの電源をＯＦＦにし、予備ＳＲＡＭ３１（３２）での運用を継続する。
Ｓ７：事象発生のＳＲＡＭについて電源をＯＮにしてメモリハードエラーの復旧を試みる。
Ｓ８：メモリハードエラー復旧を試みたＳＲＡＭ事象発生のＳＲＡＭに対して全アドレス番地へのｗｒｉｔｅ／ｒｅａｄ処理を行い、再度のパリティエラー検出を行い、ハードエラーかソフトエラーかの判定を行う。
Ｓ９：パリティエラーが検出されない場合には、復旧したＳＲＡＭに切り戻して運用を継続する。対応するＳＲＡＭ３１（３２）へのｗｒｉｔｅはそのまま継続する。
Ｓ１０：パリティエラーが検出された場合には、再び、当該ＳＲＡＭの電源をＯＦＦにし、予備ＳＲＡＭ３１（３２）での運用を継続する。
【００５４】
この場合も事象発生のＳＲＡＭに対するメモリハードエラー回復の試みは、自動的に行われるようにプログラムしても良いし、遠隔監視制御装置６０により装置管理者が、遠隔操作で手動で行うようにしても良い。
【００５５】
また、事象発生のＳＲＡＭに対するメモリハードエラー回復の試みは、遠隔監視制御装置１１により装置管理者が回復の試みを行わないようにしても良く、装置の稼働閑散期等のタイミングを見計らって回線パッケージを回収して、故障原因を究明するようにしても良い。
【００５６】
このように、本発明の実施例２においては、上り方向と下り方向のパケットバッファに対して個別の予備ＳＲＡＭを設けて、この予備ＳＲＡＭに対してもパケットを常時書き込んでいるので、メモリハードエラーが発生した場合にも、パケットロスを発生することなく、無瞬断切り替えが可能になる。
【符号の説明】
【００５７】
１  装置パッケージ部
２１  メモリ機能部
２２  予備メモリ機能部
３１,３２  電源入力部
４１,４２  スイッチ部
５  パリティ検出部
６  電源ＯＦＦ／ＯＮ判定部
７  電源ＯＦＦ／ＯＮ制御部
８  セレクタ部
９  遠隔装置通知部
１０  バッファ
１１  遠隔監視制御装置
２０  回線パッケージ
２１  回線多重／分離部
２２  インタフェース変換部
２３  上位方向ＳＲＡＭ
２４  下位方向ＳＲＡＭ
２５，２６，２９，３０  リレースイッチ
２７，３１，３２  予備ＳＲＡＭ
２８  電源
４０  共通パッケージ
４１  パッケージ多重／分離部
５０  バックワイヤリングボード
６０  遠隔監視制御装置
【図１】
0005685215.tif 000002
【図２】
0005685215.tif 000003
【図３】
0005685215.tif 000004
【図４】
0005685215.tif 000005
【図５】
0005685215.tif 000006
【図６】
0005685215.tif 000007
【図７】
0005685215.tif 000008
【図８】
0005685215.tif 000009